(57)【特許請求の範囲】
【請求項１】
光源の色度座標値から該光源の発光の主波長（λd）を求める手段と、
該主波長（λd）に対応した明順応比視感度（V（λ））を求める手段と、
前記光源の発光輝度値（L）、求められた前記主波長（λd）および明順応比視感度（V（λ））、波長５５５〔ｎｍ〕の単色光で放射強度１〔Ｗ／ｓｒ〕の光について標準比視感度を持つ人が感じる光度（κ〔ｃｄ〕）、プランク定数（ｈ）、光速（ｃ）、並びに円周率（π）に基づき、前記光源の前記発光によるフォトン数（Np）を、算出式{Np=π・λd・L/(κ・V（λ）・ｈ・ｃ)}に従って算出する算出手段とを備え、
前記光源の前記発光輝度値および色度座標値のみを入力して前記フォトン数（Np）を求めることを特徴とするフォトン数計数装置。
【請求項２】
光源の発光によるフォトン数に基づいて前記光源の量子効率を測定する量子効率測定装置において、
請求項１のフォトン数計数装置と、
前記光源の発光輝度および色度座標値を測定して前記フォトン数計数装置に入力する測定手段と、
前記光源に流れる総電子数を求める手段と、
前記フォトン数計数装置により計数されたフォトン数と前記総電子数から前記量子効率を求める手段と
を備えたことを特徴とする量子効率測定装置。
【請求項３】
光源の発光によるフォトン数に基づいて前記光源の量子効率を測定する量子効率測定装置において、
請求項１のフォトン数計数装置と、
前記フォトン数計数装置に前記光源の発光輝度および色度座標値を入力する入力手段と、
前記光源に流れる総電子数を求める手段と、
前記フォトン数計数装置により計数されたフォトン数と前記総電子数から前記量子効率を求める手段と
を備えたことを特徴とする量子効率測定装置。
【請求項４】
光源の発光によるフォトン数に基づいて前記光源の量子効率を測定する量子効率測定装置において、
請求項１のフォトン数計数装置と、
前記光源の発光輝度を測定して前記フォトン数計数装置に入力する測定手段と、
該フォトン数計数装置に前記光源の色度座標値を入力する入力手段と、
前記光源に流れる総電子数を求める手段と、
前記フォトン数計数装置により計数されたフォトン数と前記総電子数から前記量子効率を求める手段と
を備えたことを特徴とする量子効率測定装置。
【発明の詳細な説明】
【０００１】
【発明の属する技術分野】
本発明は、エレクトロルミネッセンス（ＥＬ）素子や発光ダイオードなどの、可視領域で発光する発光素子の発光特性評価装置に関する。特に詳細には、本発明は、発光効率の評価手法として量子効率（単位時間当たりに、ＥＬ素子や発光ダイオードの発光層に流れる電子数に対する発光素子から放出されるフォトン数の比率）を測定する際に用いるフォトン数計数装置および当該装置を利用した量子効率測定装置に関する。
【０００２】
【従来の技術】
ＥＬ素子や発光ダイオードなどの発光素子における発光特性の評価指標のひとつとして、従来から量子効率が用いられてきた。とりわけ、近年、有機ＥＬ素子の飛躍的な発光効率改善に合わせて、有機ＥＬ素子の量子効率が盛んに測定されるようになってきている（Ｔ．Ｔｓｕｔｓｕｉ  ｅｔ．ａｌ．  Ｊｐｎ．Ｊ．Ａｐｐｌ．Ｐｈｙｓ．Ｖｏｌ．３８（１９９９）ｐｐ．Ｌ１５０２−Ｌ１５０４）。
【０００３】
従来装置による量子効率の測定法について、図３および図４のブロック図を参照して説明する。まず、量子効率を測定するためには、図３および図４中に示すように、単位時間、単位面積当たりに発光素子５０から放出されるフォトン数Ｎp〔ｃｏｕｎｔｓ／ｓ・ｍ2〕と発光層を流れる電子数Ｎe〔ｃｏｕｎｔｓ／ｓ・ｍ2〕を正確に知る必要がある。従来、このフォトン数Ｎpを測定するためには、まず、発光素子５０の発光スペクトル（発光強度の波長依存性）を測定しなければならなかった。
【０００４】
この発光スペクトルの測定法に関しては、例えば、国府田隆夫・柊元宏共著「光物性測定技術」（東京大学出版１９８３年）のｐ．８５−８９，ｐ１４３に詳しく述べられている。ここで述べられているように、通常、測定された発光スペクトルは、図５に示すように、縦軸が発光強度の相対表示（発光強度の絶対値が１で規格化されているか、または任意目盛）で表される。
【０００５】
しかし、フォトン数Ｎpを測定するためには、発光素子５０の発光強度が分光測定装置（または分光放射輝度計）３０によって絶対値（例えば単位立体角、単位波長、単位面積当たりの発光強度である値〔Ｗ／ｓｒ・ｍ2・ｎｍ〕）で測定されていなければならない。あるいは分光測定装置４０によって発光強度の相対表示の発光スペクトルを測定した後に、更に輝度計４４によって輝度測定を行ない、発光強度校正部４５によって発光スペクトルが発光強度の絶対値、例えば〔Ｗ／ｓｒ・ｍ2・ｎｍ〕に校正されていなければならない。
【０００６】
このようにして得られた発光スペクトルの発光強度の絶対表示例を図６に示す。この発光強度Ｐ（λ）はフォトン数積算部１に入力される。
【０００７】
このようにして発光スペクトルの発光強度の絶対値表示を測定するための図３および図４に示された従来の量子効率測定装置は、どちらにも分光器や分光プリズム３１，４１を内蔵した高価で複雑な分光測定装置３０，４０が設けられていた。例えば図３の装置は、発光強度スペクトル算出部３３によって発光強度が既知の光源で十分校正されていて、発光スペクトルの絶対値発光強度表示が可能な分光測定装置または分光放射輝度計３０を備える。あるいは図４の装置は、分光測定装置４０と輝度計４４を組み合わせて使用している。
【０００８】
また、この発光スペクトルからフォトン数Ｎpを算出するためには、図３および図４中に示されているように、フォトン数積算部１によって、全波長領域（３８０〜７８０ｎｍ）にわたる煩雑な積分計算を行う必要がある。このフォトン数積算部１と、電子数算出部２および量子効率算出部３は、ＣＰＵ，ＲＡＭ，ＲＯＭ，補助記憶装置等を備えた汎用のコンピュータ装置を使用して実現することができる。
【０００９】
例えば、発光素子５０が完全拡散面であって、波長λ〔ｎｍ〕における発光強度がＰ（λ）〔Ｗ／ｓｒ・ｍ2・ｎｍ〕であったとすると、単位時間当たりの可視領域（３８０ｎｍ〜７８０ｎｍ）での全放射フォトン数Ｎp〔ｃｏｕｎｔｓ／ｓ・ｍ2〕は、次式の積分計算
【００１０】
【数１】
0003974317.tif 000002
【００１１】
で与えられる。ただし、ここでπは円周率３．１４，ｈはプランク定数（６．６２×１０-34〔Ｊ・ｓ〕）、ｃは光速（３×１０8〔ｍ／ｓ〕）である。一方、単位時間当たりに発光素子５０の発光層に流れる電子数Ｎe〔ｃｏｕｎｔｓ／ｓ・ｍ2〕については、発光素子５０に流れる電流値Ｉ〔Ａ〕を電源および電流計２０で測定して、
【００１２】
【数２】
0003974317.tif 000003
【００１３】
の関係から容易に求めることができる。ただし、ｅは電気素量（１．６０２×１０-19〔Ｃ〕）である。以上のようにして電子数Ｎeとフォトン数Ｎpが求まれば、量子効率η〔％〕は両者の比率
【００１４】
【数３】
0003974317.tif 000004
【００１５】
より算出することができる。以上、述べてきたように、量子効率を求めるためには全放射フオトン数Ｎpを求めることが必要である。
【００１６】
【発明が解決しようとする課題】
そのために従来は、図３および図４中に示されたように、発光スペクトルを測定するための大がかりな装置３０，４０が不可欠であり、分光器や分光プリズム３１，４１を内蔵した高価なものが必要であった。さらに、全放射フォトン数Ｎpを求めるには、上記構成による発光スペクトルの測定に加えて、フォトン数積算部１による煩雑な積分計算が必要であったために、量子効率を求めることは極めて困難であるという課題があった。
【００１７】
そこで、本発明の目的とするところは、量子効率の測定に必要な発光素子から放出されるフォトン数を算出する際に、特に複雑で高価な分光測定装置による発光スペクトルの測定を行うことなく、また煩雑な積分計算を行うこともなく簡便にフォトン数を求めることのできるフォトン数計数装置および当該装置を利用した量子効率測定装置を提供することである。
【００１８】
【課題を解決するための手段】
本発明の一態様は、光源の色度座標値から該光源の発光の主波長（λd）を求める手段と、該主波長（λd）に対応した明順応比視感度（V（λ））を求める手段と、前記光源の発光輝度値（L）、求められた前記主波長（λd）および明順応比視感度（V（λ））、波長５５５〔ｎｍ〕の単色光で放射強度１〔Ｗ／ｓｒ〕の光について標準比視感度を持つ人が感じる光度（κ〔ｃｄ〕）、プランク定数（ｈ）、光速（ｃ）、並びに円周率（π）に基づき、前記光源の前記発光によるフォトン数（Np）を、算出式{Np=π・λd・L/(κ・V（λ）・ｈ・ｃ)}に従って算出する算出手段とを備え、前記光源の前記発光輝度値および色度座標値のみを入力して前記フォトン数（Np）を求めることを特徴とする。
【００１９】
本発明の別の態様は、光源の発光によるフォトン数に基づいて前記光源の量子効率を測定する量子効率測定装置において、請求項１のフォトン数計数装置と、前記光源の発光輝度および色度座標値を測定して前記フォトン数計数装置に入力する測定手段と、前記光源に流れる総電子数を求める手段と、前記フォトン数計数装置により計数されたフォトン数と前記総電子数から前記量子効率を求める手段とを備えたことを特徴とする。
【００２０】
本発明の別の態様は、光源の発光によるフォトン数に基づいて前記光源の量子効率を測定する量子効率測定装置において、請求項１のフォトン数計数装置と、前記フォトン数計数装置に前記光源の発光輝度および色度座標値を入力する入力手段と、前記光源に流れる総電子数を求める手段と、前記フォトン数計数装置により計数されたフォトン数と前記総電子数から前記量子効率を求める手段とを備えたことを特徴とする。
【００２１】
本発明の別の態様は、光源の発光によるフォトン数に基づいて前記光源の量子効率を測定する量子効率測定装置において、請求項１のフォトン数計数装置と、前記光源の発光輝度を測定して前記フォトン数計数装置に入力する測定手段と、該フォトン数計数装置に前記光源の色度座標値を入力する入力手段と、前記光源に流れる総電子数を求める手段と、前記フォトン数計数装置により計数されたフォトン数と前記総電子数から前記量子効率を求める手段とを備えたことを特徴とする。
【００２４】
【発明の実施の形態】
以下、本発明の実施形態について、図面を参照して詳細に説明する。
（実施例１）
本発明によるフォトン数計数装置および量子効率測定装置の一実施例のブロック図を図１に示す。本発明装置は、発光素子から放出される全フォトン数Ｎpの算出を行なうために、従来用いられていた分光測定装置より格段に安価な色彩色差計１０を備えた構成を採用した。
【００２５】
色彩色差計１０は、ＣＩＥ三刺激値補正用のカラーフィルタ１１と光検出器１２と色度座標および輝度算出部１３とを備えており、輝度Ｌ〔ｃｄ／ｍ2〕と色度座標（１９３１年にＣＩＥ国際照明委員会で決定された表色系）の値（ｘ，ｙ）を計測することができる。フォトン数推算部１５は、この輝度値Ｌと座標値（ｘ，ｙ）のみから、フォトン数Ｎp〔ｃｏｕｎｔｓ／ｓ・ｍ2〕を算出することができる。このフォトン数推算部１５と、電子数算出部２および量子効率算出部３は、ＣＰＵ，ＲＡＭ，ＲＯＭ，補助記憶装置、キーボード／マウス等の入力装置、および出力装置としての表示装置等を備えた汎用のコンピュータ装置を使用して実施することができる。
【００２６】
ここでは、発光素子５０の例として、Ｉｒ（ｐｐｙ）3を発光層に用いた有機ＥＬ素子の量子効率を、本実施形態の装置を用いて求めた例について説明する。この時、色彩色差計１０で測定された色度座標値は（０．２７，０．６３）、輝度Ｌは２００〔ｃｄ／ｍ2〕であった。また、発光素子５０に流れる電流密度として、電源および電流計２０によってＩ＝３．９９〔Ａ／ｍ2〕が測定された。
【００２７】
次に、フォトン数推算部１５は、色度座標の値から主波長λd〔ｎｍ〕を求め、求めた値を用いて後述の演算を行なう。主波長λdの求め方については、例えば応用物理学会光学懇話会編「色の性質と技術」（朝倉書店１９８６年）のｐ６１〜ｐ７１に詳しく述べられている。すなわち、主波長λdは、図２に示した色度座標上の白色点Ｗ（１／３，１／３）から出発して、測定された色度座標点を通る直線が単色のスペクトル軌跡線Ｍと交わる点の波長として求められる。
【００２８】
図２には例として、Ｉｒ（ｐｐｙ）3の有機ＥＬ素子におけるＥＬ発光の色度座標（０．２７，０．６３）に対応するλdの求め方を示している。図２より、λd＝５４１〔ｎｍ〕と求まる。
【００２９】
次に、フォトン数推算部１５は、λdに対応した明順応比視感度Ｖ（λ）を求める。明順応比視感度Ｖ（λ）についても、既に全ての可視光の波長に対応した値が算出されており、例えば末田哲夫著「光学部品の使い方と留意点」（オプトロニクス社１９９０年）のｐ１７４にまとめられている。
【００３０】
これらの値を予めテーブルに格納しておき、フォトン数推算部１５が対応する値を読み出す。λd＝５４１〔ｎｍ〕に対応した明順応比視感度は、Ｖ（λ）＝０．９５である。以上の値から、発光素子５０が完全拡散面と仮定すると、全フォトン数Ｎpは、フォトン数推算部１５によって次式から算出することができる。
【００３１】
【数４】
0003974317.tif 000005
【００３２】
式（４）において、κは波長５５５〔ｎｍ〕の単色光で放射強度１〔Ｗ／ｓｒ〕の光について標準比視感度を持つ人が感じる光度で、κ＝６８３〔ｃｄ〕である。Ｌは測定された輝度であり、ここでは例えばＬ＝２００〔ｃｄ／ｍ2〕を入力する。なお、ｈはプランク定数、ｃは光速、πは円周率である。以上の数値から、フォトン数推算部１５はフォトン数としてＮp＝２．６６×１０18〔ｃｏｕｎｔｓ／ｓ・ｍ2〕を出力する。式（４）の演算は、従来行なっていた積分と比べて極て簡単であり、ＣＰＵ等に掛かる負荷を低減することができるとともに、演算時間の短縮も可能である。
【００３３】
一方、エレクトロルミネッセンス素子である発光素子５０の発光層に流れる電子数Ｎe〔ｃｏｕｎｔｓ／ｓ・ｍ2〕については、この素子に流れる電流密度がＩ＝３．９９〔Ａ／ｍ2〕であることから、電子数算出部２によって（２）式の関係式からＮｅ＝２．４９×１０19〔ｃｏｕｎｔｓ／ｓ・ｍ2〕と求めることができる。以上、算出された電子数Ｎeおよびフォトン数Ｎpから、量子効率演算部３が（３）式の関係式の演算を行なうことにより、量子効率η＝１０．７０〔％〕が求められた。
【００３４】
上記と同一条件で従来の分光放射輝度計を用いてフォトン数Ｎpを求めたところ、Ｎp＝２．８６×１０18〔ｃｏｕｎｔｓ／ｓ・ｍ2〕となった。そして、量子効率の値は（３）式の関係式よりη＝１１．５〔％〕となった。したがって、簡単な構成を実現した本実施例によるフォトン数計数装置を用いて求めたフォトン数Ｎp＝２．６６×１０18〔ｃｏｕｎｔｓ／ｓ・ｍ2〕、および当該計数装置を利用した本実施例による量子効率測定装置を用いて求めた量子効率η＝１０．７０〔％〕の従来測定値に対する誤差はそれぞれ約７〔％〕である。以上の測定結果をまとめると表１のようになる。
【００３５】
【表１】
0003974317.tif 000006
【００３６】
表１に示すように、本実施例では発光強度の波長依存性Ｐ（λ）（発光スペクトル）を測定することなく、また全波長領域にわたる煩雑な積分計算を行うことなしに、色彩色差計１０による簡便な色度座標と輝度の測定値から、従来に対して誤差１０〔％〕以内の精度で発光素子の量子効率の値を簡便に、かつ短時間で測定することができる。
【００３７】
（実施例２）
次に、本発明装置による別の実施例として、発光素子５０がＺｎＳ：Ｍｎを発光層に用いた無機薄膜ＥＬ素子である場合の量子効率の測定について説明する。ここでは一例として、簡易な色彩色差計１０を用いて測定したＺｎＳ：ＭｎのＥＬ素子による発光の色度座標は（０．５３，０．４７）、輝度Ｌは２５０Ｈｚ駆動時にＬ＝６７１〔ｃｄ／ｍ2〕であった。
【００３８】
実施例１と同様にして、ＥＬ発光の色度座標（０．５３，０．４７）に対応した主波長λdは、図２より、λd＝５８３〔ｎｍ〕と求まる。このλdに対応した明順応比視感度Ｖ（λ）は、実施例１と同様にしてＶ（λ）＝０．８０と求まる。以上の主波長λd、輝度Ｌ、比視感度Ｖ（λ）の値を（４）式に代入すると、発光素子５０から放射される全フォトン数Ｎpは、Ｎp＝１．１５×１０19〔ｃｏｕｎｔｓ／ｓ・ｍ2〕と求めることができる。
【００３９】
一方、電子の総数Ｎeについては、以下の要領で求める。ＺｎＳ：Ｍｎなどの無機材料を使った薄膜ＥＬ素子の場合、発光層中に流れる電流を有機ＥＬ素子や発光ダイオードのように外部に接続した電流計を用いて測定するのは困難である。そこで、ソーヤータワー回路（図示せず）により測定した駆動用電圧波形の１サイクル当たりの移動電荷量Ｑ〔ｃ／ｍ2〕を用いて、図１には示されていない別の電子数算出部により、単位時間当たりに発光層の断面を通過する電子の総数Ｎe〔ｃｏｕｎｔｓ／ｓ・ｍ2〕を求める。
【００４０】
ここで、駆動周波数をｆ〔Ｈｚ〕とすると、電子数Ｎeは
【００４１】
【数５】
0003974317.tif 000007
【００４２】
である。ただしｅは、電気素量１．６０２×１０-19〔Ｃ〕である。例えば本実施例２において測定されたＺｎＳ：Ｍｎの移動電荷量Ｑは、Ｑ＝０．０１８３〔Ｃ／ｍ2〕と求められた。
【００４３】
次に上記別の電子数算出部により、このＱ値と駆動周波数ｆ＝２５０Ｈｚを（５）式に代入すると、Ｎe＝５．７１×１０19〔ｃｏｕｎｔｓ／ｓ・ｍ2〕と求めることができる。以上述べたように、本発明による計数装置で計数したＮp＝１．１５×１０19〔ｃｏｕｎｔｓ／ｓ・ｍ2〕と上記算出されたＮeの値から、量子効率演算部３が（３）式の関係式の演算を行なうことにより、量子効率η＝２０．１〔％〕が求められた。
【００４４】
上記と同一条件で従来の分光放射輝度計を用いてフォトン数Ｎpを求めたところ、Ｎp＝１．２４×１０19〔ｃｏｕｎｔｓ／ｓ・ｍ2〕となった。そして、量子効率の値は（３）式の関係式よりη＝２１．７〔％〕となった。したがって、簡単な構成を実現した本実施例によるフォトン数計数装置を用いてＺｎＳ：Ｍｎの無機ＥＬ素子について求めたフォトン数Ｎp＝１．１５×１０19〔ｃｏｕｎｔｓ／ｓ・ｍ2〕、および当該計数装置を利用した本実施例による量子効率測定装置を用いて求めた量子効率η＝２０．１〔％〕の従来測定値に対する誤差はそれぞれ約７〔％〕である。以上の測定結果をまとめると表２のようになる。
【００４５】
【表２】
0003974317.tif 000008
【００４６】
表２に示すように、ＺｎＳ：Ｍｎの無機ＥＬ素子について実施した本実施例でも発光強度の波長依存性Ｐ（λ）（発光スペクトル）を測定することなく、また全波長領域にわたる煩雑な積分計算を行うことなしに、簡便な色度座標と輝度の測定値から、従来に対して誤差１０〔％〕以内の精度で発光素子の量子効率の値を簡便に、かつ短時間で測定することができる。
【００４７】
（実施例３）
本発明に係る上記実施例１および実施例２では、発光素子からの放射フォトン数Ｎpの算出に、発光素子による発光の色度座標に対応した波長λdを用いた。しかし、その発光色が赤紫色の場合には、色度図（図２参照）上で主波長λdが波長表示のない赤紫線上に来てしまうため、そのままでは主波長λdを定義することができない。
【００４８】
そこで、このような場合は、図２に示すように、赤紫色発光の色度座標が例えば座標Ｘであったとすると、座標Ｘからの直線を白色点Ｗ側に延長してスペクトル軌跡線Ｍと交わった点を補色主波長λc〔ｎｍ〕と定義することで、補色主波長λcに対応する主波長λd〔ｎｍ〕を次式で擬似的に定義することができる。
【００４９】
【数６】
0003974317.tif 000009
【００５０】
本実施例では、発光素子５０が赤紫色発光した場合であっても、（６）式により得られた主波長λdの値を（４）式に代入することで、発光素子から放出される総フォトン数Ｎpを算出することができる。
【００５１】
また、（４）式を用いて算出した総フォトン数Ｎpは、実施例１，２で示したように１０〔％〕程度の誤差を含む。この誤差は、主波長λdの値や、発光の刺激純度（応用物理学会光学懇話会編「色の性質と技術」（朝倉書店１９８６年）、ｐ６９参照）に対応した補正係数を（４）式に乗ずることで減少させることができる。
【００５２】
また、実施例１、実施例２では、色彩色差計１０により測定された輝度Ｌと色度座標（ｘ，ｙ）に基づいて発光素子５０からの放射フォトン数Ｎpを算出する例を示したが、発光素子５０の輝度と色度座標が既知の場合には、これらの値について入力装置を用いてフォトン数推算部１５に入力することで、（４）式を用いて発光素子５０から放出される総フォトン数Ｎpを算出し、前述の通りに求めた電子数Ｎeとの比率から量子効率ηを求める別の形態の量子効率測定装置を実施することもできる。
【００５３】
また、発光素子５０の輝度を輝度計（図示せず）を用いて測定し、色度座標が既知であった場合にも、同様に（４）式を用いて量子効率ηを求めるさらに別の形態の量子効率測定装置を実施することもできる。
【００５４】
また、上述各手法により得られた輝度Ｌと色度座標（ｘ，ｙ）の値を入力し、（４）式の演算を行なうことで、発光素子５０から放出される総フォトン数Ｎpを算出することによって、簡易にフォトン数を計数するフォトン数計数装置（フォトン数推算部１５）も本発明に含むことができる。
【００５５】
【発明の効果】
本発明によれば、特に高価で複雑な分光装置を用いた発光スペクトル測定や煩雑な積分計算を行うことなしに、エレクトロルミネッセンス素子をはじめとする各種発光素子の発光輝度と色度座標値を色彩色差計で測定し、これらの値に基づいて発光素子から放出されるフォトン数を算出することにより、安価な構成の装置で簡便に量子効率の測定を行なえるという効果を奏することができる。
【図面の簡単な説明】
【図１】本発明に係るフォトン数計数装置および量子効率測定装置の一実施形態の構成図である。
【図２】色度座標と主波長λdおよび補色主波長λcの求め方を説明するための色度図である。
【図３】従来の量子効率測定装置の一例の構成図である。
【図４】従来の量子効率測定装置の別の例の構成図である。
【図５】発光強度相対表示の場合の発光スペクトル特性を示す特性図である。
【図６】発光強度絶対表示の場合の発光スペクトル特性を示す特性図である。
【符号の説明】
２  電子数算出部
３  量子効率算出部
１０  色彩色差計
１１  ＣＩＥ三刺激値補正用カラーフィルタ
１２  光検出器
１３  色度座標および輝度算出部
１５  フォトン数推算部
２０  電源および電流計
３０  分光測定装置（または分光放射輝度計）
３１，４１  分光プリズム
３２，４２  光検出器（ＣＣＤ）
３３  発光スペクトル算出部
４０  分光測定装置
４３  コントローラおよび発光スペクトル算出部
４４  輝度計
４５  発光強度校正部
５０  発光素子
【図１】
0003974317.tif 000010
【図２】
0003974317.tif 000011
【図３】
0003974317.tif 000012
【図４】
0003974317.tif 000013
【図５】
0003974317.tif 000014
【図６】
0003974317.tif 000015